(57)【特許請求の範囲】
【請求項１】
床面パネル、背面パネル、左側面パネル、右側面パネルおよび天面パネルを連結固定用ボルトにて部分的に連結して組み立てることで形成されて前方に開口を有する貯蔵庫本体と、この貯蔵庫本体の前記床面パネル、前記背面パネルおよび前記天面パネルの側面に組付けられる前記左側面パネルまたは前記右側面パネルの前方上下各端部にヒンジを介して前記開口を開閉可能に組付けられた貯蔵庫扉を備えるとともに、前記貯蔵庫扉に組付けられて前記ヒンジとの係合により前記貯蔵庫扉の開放動作を制限するストッパを備えた組立式貯蔵庫において、前記左側面パネルまたは前記右側面パネルの前方上下各端部内に一体的に組付けられて前記ヒンジを支持する支持プレートを、板幅方向が左右方向となる状態で、前記左側面パネルまたは前記右側面パネルと前記床面パネルまたは前記天面パネルとの連結部の前方から後方にまで前後方向に延在させたことを特徴とする組立式貯蔵庫。
【発明の詳細な説明】
【０００１】
【発明の属する技術分野】
本発明は、貯蔵庫（冷蔵庫、冷凍庫、温蔵庫等）に係り、特に、貯蔵庫本体が床面パネル、背面パネル、左側面パネル、右側面パネルおよび天面パネルを連結固定用ボルトにて部分的に連結して組み立てることで形成される組立式貯蔵庫に関する。
【０００２】
【従来の技術】
組立式貯蔵庫の一つとして、床面パネル、背面パネル、左側面パネル、右側面パネルおよび天面パネルを部分的に連結固定用ボルトにて連結して組み立てることで形成されて前方に開口を有する貯蔵庫本体と、この貯蔵庫本体の前記床面パネル、前記背面パネルおよび前記天面パネルの側面に組付けられる前記左側面パネルまたは前記右側面パネルの前方上下各端部にヒンジを介して前記開口を開閉可能に組付けられた貯蔵庫扉を備えるとともに、前記貯蔵庫扉に組付けられて前記ヒンジとの係合により前記貯蔵庫扉の開放動作を制限するストッパを備えたものがある。
【０００３】
【発明が解決しようとする課題】
上記した組立式貯蔵庫においては、従来、図５および図６に示したように、構成されていて、貯蔵庫扉１が左側面パネル２に組付けられている場合、貯蔵庫扉１の開放時に貯蔵庫扉１に組付けたストッパ３がヒンジ４と係合することにより生じる力は、ヒンジ４を介して、左側面パネル２に一体的に組付けた支持プレート２ａにて受承される。なお、支持プレート２ａは、左側面パネル２に予め組み込まれているヒンジ固定用ねじ板である。
【０００４】
ところで、左側面パネル２に一体的に組付けた支持プレート２ａは、左側面パネル２と床面パネル（または天面パネル）５との連結部（連結固定用ボルト６の取付部）より前方にのみ延在して設けられている。このため、貯蔵庫扉１の開放時にストッパ３がヒンジ４と係合することにより生じる力が左側面パネル２の前端部に作用した際には、連結固定用ボルト６の取付部（連結部）を支点して左側面パネル２の前端部が図７に示したように矢印方向に大きく傾動して損傷するおそれがある。
【０００５】
【課題を解決するための手段】
本発明は、上記した課題に対処すべく、上記した形式の組立式貯蔵庫において、前記左側面パネルまたは前記右側面パネルの前方上下各端部内に一体的に組付けられて前記ヒンジを支持する支持プレートを、板幅方向が左右方向となる状態で、前記左側面パネルまたは前記右側面パネルと前記床面パネルまたは前記天面パネルとの連結部の前方から後方にまで前後方向に延在させたことに特徴がある。
【０００７】
【発明の作用・効果】
本発明による組立式貯蔵庫においては、貯蔵庫扉の開放時にストッパがヒンジと係合することにより生じる力が、ヒンジを介して、左側面パネルまたは右側面パネル内に一体的に組付けた支持プレートにて受承される。ところで、左側面パネルまたは右側面パネル内に一体的に組付けた支持プレートは、板幅方向が左右方向となる状態で、左側面パネルまたは右側面パネルと床面パネルまたは天面パネルとの連結部の前方から後方にまで前後方向に延在して設けられていて、同連結部を支点とする左側面パネルまたは右側面パネルの前端部の傾動を抑制する。このため、左側面パネルまたは右側面パネルの前端部の傾動に伴う損傷を防止することができる。
【０００９】
【発明の実施の形態】
以下に、本発明の一実施形態を図面に基づいて説明する。図１〜図４は本発明による組立式貯蔵庫である冷却貯蔵庫１０を示していて、この貯蔵庫１０は、床面パネル１１ａ、背面パネル１１ｂ、左側面パネル１１ｃ、右側面パネル１１ｄおよび天面パネル１１ｅを連結固定用ボルト１１ｆにて部分的に連結して組み立てることで形成されて前方に開口を有する断熱構造の貯蔵庫本体１１と、この貯蔵庫本体１１の床面パネル１１ａ、背面パネル１１ｂおよび天面パネル１１ｅの側面に組付けられる左側面パネル１１ｃまたは右側面パネル１１ｄの前方上下各端部に各ヒンジ１３を介して前記開口を開閉可能に組付けた断熱構造の貯蔵庫扉１２を備えるとともに、天面パネル１１ｅ上に組付けた冷凍ユニット１４を備えている。
【００１０】
各貯蔵庫扉１２は、上下一対のヒンジ１３を介して左側面パネル１１ｃまたは右側面パネル１１ｄに開閉可能に組付けられていて、下端に一対のボルト１５を用いて組付けたストッパ１６がヒンジ１３と係合することにより、開放動作が制限されるようになっている。なお、各貯蔵庫扉１２には、上下一対の取付孔１２ａが形成されていて、各取付孔１２ａにはヒンジ１３のピン部１３ａがカラー１７を装着した状態にて挿入されるようになっている。
【００１１】
各ヒンジ１３は、図３に例示したように、一対のボルト１８を用いて左側面パネル１１ｃの支持プレート１１ｃ１に組付けられている。支持プレート１１ｃ１は、Ｌ字状に形成されて一対のねじ孔１１ｃ２を有するヒンジ固定用ねじ板であって、左側面パネル１１ｃの上下両端部にリベット（図示省略）等を用いて一体的に組み込まれており、図３および図４に示したように、板幅方向が左右方向となる状態で、左側面パネル１１ｃと床面パネル１１ａ（または天面パネル１１ｅ）との連結部（連結固定用ボルト１１ｆの取付部）の前方から後方にまで前後方向に延在して設けられている。
【００１２】
上記のように構成したこの実施形態の冷却貯蔵庫１０においては、図４に例示したように、貯蔵庫扉１２の開放時にストッパ１６がヒンジ１３と係合することにより生じる力が、ヒンジ１３を介して、左側面パネル１１ｃ（または右側面パネル１１ｄ）内に一体的に組付けた支持プレート１１ｃ１（右側面パネル１１ｄの支持プレートは図示省略）にて受承される。
【００１３】
ところで、左側面パネル１１ｃ（または右側面パネル１１ｄ）内に一体的に組付けた支持プレート１１ｃ１は、板幅方向が左右方向となる状態で、左側面パネル１１ｃ（または右側面パネル１１ｄ）と床面パネル１１ａまたは天面パネル１１ｅとの連結固定用ボルト１１ｆによる連結部の前方から後方にまで前後方向に延在して設けられていて、同連結部を支点とする左側面パネル１１ｃ（または右側面パネルｄ）の前端部の図４矢印方向への傾動を抑制する。このため、左側面パネル１１ｃ（または右側面パネル１１ｄ）の前端部の傾動に伴う損傷を防止することができる。
【図面の簡単な説明】
【図１】  本発明による組立式貯蔵庫の一実施形態を示す斜視図である。
【図２】  図１の要部を部分的に示す斜視図である。
【図３】  図２に示した部分の分解斜視図である。
【図４】  図２に示した部分の作動説明用の底面図である。
【図５】  従来の組立式貯蔵庫の図４相当の底面図である。
【図６】  図５に示した従来の組立式貯蔵庫にて連結固定用ボルトの取付部を支点して左側面パネルの前端部が大きく傾動した場合の底面図である。
【符号の説明】
１０…冷却貯蔵庫、１１…貯蔵庫本体、１１ａ…床面パネル、１１ａ１…支持プレート、１１ｂ…背面パネル、１１ｃ…左側面パネル、１１ｃ１…支持プレート、１１ｄ…右側面パネル、１１ｅ…天面パネル、１１ｆ…連結固定用ボルト、１２…貯蔵庫扉、１３…ヒンジ、１４…冷凍ユニット、１５…ボルト、１６…ストッパ、１７…カラー、１８…ボルト。
【図１】
0003868835.tif 000002
【図２】
0003868835.tif 000003
【図３】
0003868835.tif 000004
【図４】
0003868835.tif 000005
【図５】
0003868835.tif 000006
【図６】
0003868835.tif 000007